(57)【要約】  本発明は、微生物増殖が起こりやすい物質を、微生物増殖を抑制するために効果的な量の非腐植コケに接触させる工程を含み、コケはイボミズゴケ、スファグナム・クリスタツム、およびそれらの混合物からなる群から選択される、微生物増殖を抑制する方法を提供する。本発明は、内部空洞および内部空洞を出入りするための１つまたは複数の開口部を有する担体を備え、コケは内部空洞に封入され、担体はその内部空洞内にコケを完全に封入している、水中で使用するための装置を提供する。
2007533378.tif 000002
【特許請求の範囲】
【請求項１】
微生物増殖が起こりやすい物質を、微生物増殖を抑制するために効果的な量の非腐植コケに接触させる工程を含み、前記コケは、イボミズゴケ、スファグナム・クリスタツム、およびそれらの混合物からなる群から選択される、微生物増殖を抑制する方法。
【請求項２】
前記コケは、イボミズゴケである請求項１に記載の方法。
【請求項３】
前記コケは、スファグナム・クリスタツムである請求項１に記載の方法。
【請求項４】
前記コケは、イボミズゴケのみを含む請求項１に記載の方法。
【請求項５】
前記コケは、スファグナム・クリスタツムのみを含む請求項１に記載の方法。
【請求項６】
前記コケは、イボミズゴケおよびスファグナム・クリスタツムの混合物のみを含む請求項１に記載の方法。
【請求項７】
前記コケは、圧縮される請求項１に記載の方法。
【請求項８】
前記コケは、細長片の形態である請求項７に記載の方法。
【請求項９】
前記コケは、殺菌されている請求項１に記載の方法。
【請求項１０】
前記コケは、酸性溶液で洗浄されている請求項１に記載の方法。
【請求項１１】
前記コケは、酢酸溶液で洗浄されている請求項１０に記載の方法。
【請求項１２】
前記コケは、酸性溶液で洗浄され、次いで、食塩水で洗浄されている請求項１０に記載の方法。
【請求項１３】
前記物質は、水である請求項１に記載の方法。
【請求項１４】
前記物質は、温泉の水である請求項１に記載の方法。
【請求項１５】
前記物質は、プールの水である請求項１に記載の方法。
【請求項１６】
前記物質は、アクアリウムの水である請求項１に記載の方法。
【請求項１７】
前記物質は、人体の一部である請求項１に記載の方法。
【請求項１８】
前記人体の一部は、皮膚である請求項１７に記載の方法。
【請求項１９】
前記人体の一部は、外傷である請求項１７に記載の方法。
【請求項２０】
前記人体の一部は、内部体腔である請求項１７に記載の方法。
【請求項２１】
前記人体の一部は、身体の内部の損傷の部位である請求項１７に記載の方法。
【請求項２２】
前記物質は、穀物である請求項１に記載の方法。
【請求項２３】
微生物増殖を抑制するために効果的な量の非腐植コケを担体に入れ、前記担体を微生物増殖が起こりやすい物質に接触させる工程を含み、前記コケはイボミズゴケ、スファグナム・クリスタツム、およびそれらの混合物からなる群から選択される、微生物増殖を抑制する方法。
【請求項２４】
前記コケは、イボミズゴケである請求項２３に記載の方法。
【請求項２５】
前記コケは、スファグナム・クリスタツムである請求項２３に記載の方法。
【請求項２６】
前記コケは、イボミズゴケのみを含む請求項２３に記載の方法。
【請求項２７】
前記コケは、スファグナム・クリスタツムのみを含む請求項２３に記載の方法。
【請求項２８】
前記コケは、イボミズゴケおよびスファグナム・クリスタツムの混合物のみを含む請求項２３に記載の方法。
【請求項２９】
前記物質は、水である請求項２３に記載の方法。
【請求項３０】
前記物質は、温泉の水である請求項２３に記載の方法。
【請求項３１】
前記物質は、プールの水である請求項２３に記載の方法。
【請求項３２】
前記物質は、アクアリウムの水である請求項２３に記載の方法。
【請求項３３】
前記水は、ポンプで担体に通される請求項２９に記載の方法。
【請求項３４】
前記物質は、人体の一部である請求項２３に記載の方法。
【請求項３５】
前記人体の一部は、皮膚である請求項３４に記載の方法。
【請求項３６】
前記人体の一部は、外傷である請求項３４に記載の方法。
【請求項３７】
前記人体の一部は、内部体腔である請求項３４に記載の方法。
【請求項３８】
前記人体の一部は、身体の内部の損傷の部位である請求項３４に記載の方法。
【請求項３９】
前記物質は、穀物である請求項２３に記載の方法。
【請求項４０】
前記担体は、人体に埋め込まれる装置である請求項２３に記載の方法。
【請求項４１】
前記担体は、ポリマーマトリクスである請求項２３に記載の方法。
【請求項４２】
前記担体は、バイオマトリクスである請求項２３に記載の方法。
【請求項４３】
前記担体は、１つまたは複数の膜である請求項２３に記載の方法。
【請求項４４】
細菌増殖を抑制する際に使用するコケを調製する方法であって、
（ｉ）非腐植コケを乾燥させる工程と、
（ｉｉ）前記コケを滅菌する工程とを含む方法。
【請求項４５】
さらに、前記コケを圧縮する工程を含む請求項４４に記載の方法。
【請求項４６】
さらに、前記圧縮されたコケを複数の細長片に切断する工程を含む請求項４５に記載の方法。
【請求項４７】
前記コケは、高圧蒸気殺菌法により滅菌される請求項４４に記載の方法。
【請求項４８】
前記コケは、化学処理により滅菌される請求項４４に記載の方法。
【請求項４９】
前記コケは、エチレンオキシドを使った処理により滅菌される請求項４４に記載の方法。
【請求項５０】
細菌増殖を抑制する際に使用するコケを調製する方法であって、
（ｉ）非腐植コケを酸性溶液に接触させる工程と、
（ｉｉ）前記コケを乾燥させる工程とを含む方法。
【請求項５１】
前記非腐植コケは、工程（ｉ）の後に食塩水に接触させる請求項５０に記載の方法。
【請求項５２】
前記酸性溶液は、酢酸溶液である請求項５１に記載の方法。
【請求項５３】
前記コケは、ミズゴケである請求項５０に記載の方法。
【請求項５４】
前記コケは、イボミズゴケ、スファグナム・クリスタツム、およびそれらの混合物からなる群から選択される請求項５０に記載の方法。
【請求項５５】
前記コケは、イボミズゴケである請求項５４に記載の方法。
【請求項５６】
前記コケは、スファグナム・クリスタツムである請求項５４に記載の方法。
【請求項５７】
前記コケは、イボミズゴケのみを含む請求項５４に記載の方法。
【請求項５８】
前記コケは、スファグナム・クリスタツムのみを含む請求項５４に記載の方法。
【請求項５９】
前記コケは、イボミズゴケおよびスファグナム・クリスタツムの混合物のみを含む請求項５４に記載の方法。
【請求項６０】
滅菌された非腐食コケおよび担体を含むキット。
【請求項６１】
前記コケは、ミズゴケである請求項６０に記載のキット。
【請求項６２】
前記コケは、イボミズゴケ、スファグナム・クリスタツム、およびそれらの混合物からなる群から選択される請求項６０に記載のキット。
【請求項６３】
前記コケは、イボミズゴケである請求項６２に記載のキット。
【請求項６４】
前記コケは、スファグナム・クリスタツムである請求項６２に記載のキット。
【請求項６５】
前記コケは、イボミズゴケのみを含む請求項６２に記載のキット。
【請求項６６】
前記コケは、スファグナム・クリスタツムのみを含む請求項６２に記載のキット。
【請求項６７】
前記コケは、イボミズゴケおよびスファグナム・クリスタツムの混合物のみを含む請求項６２に記載のキット。
【請求項６８】
前記コケは、圧縮される請求項６０に記載のキット。
【請求項６９】
前記コケは、細長片の形態である請求項６８に記載のキット。
【請求項７０】
前記コケは、殺菌されている請求項６０に記載のキット。
【請求項７１】
前記コケは、酸性溶液で洗浄されている請求項６０に記載のキット。
【請求項７２】
前記コケは、酢酸溶液で洗浄されている請求項７１に記載のキット。
【請求項７３】
前記コケは、酸性溶液で洗浄され、次いで、食塩水で洗浄されている請求項７１に記載のキット。
【請求項７４】
細菌増殖が起こりやすい水を細菌増殖を抑制する効果のある量の非腐植コケに接触させる工程であって、前記コケがイボミズゴケ、スファグナム・クリスタツム、およびそれらの混合物からなる群から選択される工程と、定期的に適切な化学剤で水に衝撃を与える工程とを含む、細菌増殖を抑制する方法。
【請求項７５】
前記化学剤は、一過硫酸カリウムである請求項７４に記載の方法。
【請求項７６】
水から水素イオン以外の陽イオンを除去する効果のある量の非腐植コケに水を接触させる工程を含み、前記コケはイボミズゴケ、スファグナム・クリスタツム、およびそれらの混合物からなる群から選択される、水を処理する方法。
【請求項７７】
前記陽イオンは、カルシウムイオンである請求項７６に記載の方法。
【請求項７８】
実質的に全ての前記カルシウムイオンが、水から除去される請求項７７に記載の方法。
【請求項７９】
前記陽イオンは、鉄イオンである請求項７６に記載の方法。
【請求項８０】
実質的に全ての前記カルシウムイオンが、水から除去される請求項７９に記載の方法。
【請求項８１】
前記コケは、イボミズゴケである請求項７６に記載の方法。
【請求項８２】
前記コケは、スファグナム・クリスタツムである請求項７６に記載の方法。
【請求項８３】
前記コケは、イボミズゴケのみを含む請求項７６に記載の方法。
【請求項８４】
前記コケは、スファグナム・クリスタツムのみを含む請求項７６に記載の方法。
【請求項８５】
前記コケは、イボミズゴケおよびスファグナム・クリスタツムの混合物のみを含む請求項７６に記載の方法。
【請求項８６】
前記コケは、圧縮される請求項７６に記載の方法。
【請求項８７】
前記コケは、細長片の形態である請求項８６に記載の方法。
【請求項８８】
前記コケは、殺菌されている請求項７６に記載の方法。
【請求項８９】
前記コケは、酸性溶液で洗浄されている請求項７６に記載の方法。
【請求項９０】
前記コケは、酢酸溶液で洗浄されている請求項８９に記載の方法。
【請求項９１】
前記コケは、酸性溶液で洗浄され、次いで、食塩水で洗浄されている請求項８９に記載の方法。
【請求項９２】
前記物質は、温泉の水である請求項７６に記載の方法。
【請求項９３】
前記物質は、プールの水である請求項７６に記載の方法。
【請求項９４】
前記物質は、アクアリウムの水である請求項７６に記載の方法。
【請求項９５】
水から水素イオン以外の陽イオンを除去する効果のある量の非腐植コケを担体内に入れる工程と前記担体を水に接触させる工程とを含み、前記コケはイボミズゴケ、スファグナム・クリスタツム、およびそれらの混合物からなる群から選択される、水を処理する方法。
【請求項９６】
水中で使用するための装置であって、
（ｉ）内部空洞および前記内部空洞を出入りするための１つまたは複数の開口部を有する担体と、
（ｉｉ）前記内部空洞内に収められたコケとを含み、
前記担体は前記コケを完全に封入している、水中で使用するための装置。
【請求項９７】
前記担体は、浮きを備える請求項９６に記載の装置。
【請求項９８】
前記担体は、浮きと前記浮きの下にある円柱状部分を備え、前記円柱状部分は内部空洞および前記内部空洞を出入りするための１つまたは複数の開口部を有する請求項９６に記載の装置。
【請求項９９】
前記コケは、網袋内に封入される請求項９６に記載の装置。
【請求項１００】
前記担体は、１つまたは複数のおもしを備える請求項９６に記載の装置。
【請求項１０１】
前記コケは、非腐植コケである請求項９６に記載の装置。
【請求項１０２】
前記コケは、ミズゴケである請求項１０１に記載の装置。
【請求項１０３】
前記コケは、イボミズゴケ、スファグナム・クリスタツム、およびそれらの混合物からなる群から選択される請求項１０１に記載の装置。
【請求項１０４】
前記コケは、イボミズゴケである請求項１０３に記載の装置。
【請求項１０５】
前記コケは、スファグナム・クリスタツムである請求項１０３に記載の装置。
【請求項１０６】
前記コケは、イボミズゴケのみを含む請求項１０３に記載の装置。
【請求項１０７】
前記コケは、スファグナム・クリスタツムのみを含む請求項１０３に記載の装置。
【請求項１０８】
前記コケは、イボミズゴケおよびスファグナム・クリスタツムの混合物のみを含む請求項１０３に記載の装置。
【請求項１０９】
前記コケは、圧縮される請求項１０１に記載の装置。
【請求項１１０】
前記コケは、細長片の形態である請求項１０９に記載の装置。
【請求項１１１】
前記コケは、殺菌されている請求項１０１に記載の装置。
【請求項１１２】
前記コケは、酸性溶液で洗浄済みである請求項１０１に記載の装置。
【請求項１１３】
前記コケは、酢酸溶液で洗浄済みである請求項１０１に記載の装置。
【請求項１１４】
前記コケは、酸性溶液で洗浄され、次いで、食塩水で洗浄されている請求項１０１に記載の装置。
【請求項１１５】
微生物増殖が起こりやすい水の中に、水中で微生物増殖を抑制するための装置を入れる工程を含む微生物増殖を抑制する方法であって、前記装置は、
（ｉ）内部空洞および前記内部空洞を出入りするための１つまたは複数の開口部を有する担体と、
（ｉｉ）前記内部空洞内に収められたコケとを備え、前記担体は、前記コケを完全に封入しており、前記装置は、水中で微生物増殖を抑制するのに有効なある量の前記コケを備える方法。
【請求項１１６】
前記担体は、浮きを備える請求項１１５に記載の方法。
【請求項１１７】
前記担体は、浮きと前記浮きの下にある円柱状部分を備え、前記円柱状部分は内部空洞および前記内部空洞を出入りするための１つまたは複数の開口部を有する請求項１１５に記載の方法。
【請求項１１８】
前記担体は、１つまたは複数のおもしを備える請求項１１５に記載の方法。
【請求項１１９】
前記コケは、網袋内に封入される請求項１１５に記載の方法。
【請求項１２０】
前記コケは、非腐植コケである請求項１１５に記載の方法。
【請求項１２１】
前記コケは、ミズゴケである請求項１１５に記載の方法。
【請求項１２２】
前記コケは、イボミズゴケ、スファグナム・クリスタツム、およびそれらの混合物からなる群から選択される請求項１２０に記載の方法。
【請求項１２３】
前記コケは、イボミズゴケである請求項１２２に記載の方法。
【請求項１２４】
前記コケは、スファグナム・クリスタツムである請求項１２２に記載の方法。
【請求項１２５】
前記コケは、イボミズゴケのみを含む請求項１２２に記載の方法。
【請求項１２６】
前記コケは、スファグナム・クリスタツムのみを含む請求項１２２に記載の方法。
【請求項１２７】
前記コケは、イボミズゴケおよびスファグナム・クリスタツムの混合物のみを含む請求項１２２に記載の方法。
【請求項１２８】
前記コケは、圧縮される請求項１１５に記載の方法。
【請求項１２９】
前記コケは、細長片の形態である請求項１２８に記載の方法。
【請求項１３０】
前記コケは、殺菌されている請求項１２０に記載の方法。
【請求項１３１】
前記コケは、酸性溶液で洗浄されている請求項１２０に記載の方法。
【請求項１３２】
前記コケは、酢酸溶液で洗浄されている請求項１２０に記載の方法。
【請求項１３３】
前記コケは、酸性溶液で洗浄され、次いで、食塩水で洗浄されている請求項１２０に記載の方法。
【請求項１３４】
前記水は、温泉の水である請求項１２０に記載の方法。
【請求項１３５】
前記水は、プールの水である請求項１２０に記載の方法。
【請求項１３６】
前記水は、アクアリウムの水である請求項１２０に記載の方法。
【請求項１３７】
前記水は、ポンプで装置に通される請求項１２０に記載の方法。
【請求項１３８】
滅菌された非腐食コケと、内部空洞および前記内部空洞を出入りするための１つまたは複数の開口部を有する担体を備え、前記内部空洞は前記コケを完全に封入していることができる水中で使用するための装置とを備えるキット。
【請求項１３９】
前記担体は、浮きを備える請求項１３８に記載のキット。
【請求項１４０】
前記担体は、浮きと前記浮きの下にある円柱状部分を備え、前記円柱状部分は内部空洞および前記内部空洞を出入りするための１つまたは複数の開口部を有する請求項１３８に記載のキット。
【請求項１４１】
前記担体は、１つまたは複数のおもしを備える請求項１３８に記載のキット。
【請求項１４２】
前記コケは、網袋内に封入される請求項１３８に記載のキット。
【請求項１４３】
前記コケは、ミズゴケである請求項１３８に記載のキット。
【請求項１４４】
前記コケは、イボミズゴケ、スファグナム・クリスタツム、およびそれらの混合物からなる群から選択される請求項１３８に記載のキット。
【請求項１４５】
前記コケは、イボミズゴケである請求項１４４に記載のキット。
【請求項１４６】
前記コケは、スファグナム・クリスタツムである請求項１４４に記載のキット。
【請求項１４７】
前記コケは、イボミズゴケのみを含む請求項１４４に記載のキット。
【請求項１４８】
前記コケは、スファグナム・クリスタツムのみを含む請求項１４４に記載のキット。
【請求項１４９】
前記コケは、イボミズゴケおよびスファグナム・クリスタツムの混合物のみを含む請求項１４４に記載のキット。
【請求項１５０】
前記コケは、圧縮される請求項１３８に記載のキット。
【請求項１５１】
前記コケは、細長片の形態である請求項１５０に記載のキット。
【請求項１５２】
前記コケは、殺菌されている請求項１３８に記載のキット。
【請求項１５３】
前記コケは、酸性溶液で洗浄されている請求項１３８に記載のキット。
【請求項１５４】
前記コケは、酢酸溶液で洗浄されている請求項１３８に記載のキット。
【請求項１５５】
前記コケは、酸性溶液で洗浄され、次いで、食塩水で洗浄されている請求項１３８に記載のキット。
【請求項１５６】
さらに、１つまたは複数のｐＨテスト細長片を備える請求項１３８に記載のキット。
【請求項１５７】
さらに、一過硫酸カリウムを含む請求項１３８に記載のキット。
【請求項１５８】
微生物増殖が起こりやすい水の中に、水中で微生物増殖を抑制するための装置を入れる工程を含む微生物増殖を抑制する方法であって、前記装置は、
（ｉ）内部空洞および前記内部空洞を出入りするための１つまたは複数の開口部を有する担体と、
（ｉｉ）前記内部空洞内に収められたコケとを備え、前記担体は、前記コケを完全に封入し、前記装置は、水中で微生物増殖を抑制するのに有効なある量の前記コケを備え、
定期的に適切な化学剤で水に衝撃を与える方法。
【請求項１５９】
前記化学剤は、一過硫酸カリウムである請求項１５８に記載の方法。
【請求項１６０】
水の中に装置を入れる工程を含む水を処理する方法であって、前記装置は、
（ｉ）内部空洞および前記内部空洞を出入りするための１つまたは複数の開口部を有する担体と、
（ｉｉ）前記内部空洞内に収められたコケとを備え、前記担体は、前記コケを完全に封入し、前記装置は、水から水素イオン以外の陽イオンを除去するのに有効なある量の前記コケを備える方法。
【請求項１６１】
前記陽イオンは、カルシウムイオンである請求項１６０に記載の方法。
【請求項１６２】
前記カルシウムイオンは、実質的に全てが水から除去される請求項１６１に記載の方法。
【請求項１６３】
前記陽イオンは、鉄イオンである請求項１６０に記載の方法。
【請求項１６４】
前記カルシウムイオンは、実質的に全てが水から除去される請求項１６３に記載の方法。
【請求項１６５】
前記担体は、浮きを備える請求項１６０に記載の方法。
【請求項１６６】
前記担体は、浮きと前記浮きの下にある円柱状部分を備え、前記円柱状部分は内部空洞および前記内部空洞を出入りするための１つまたは複数の開口部を有する請求項１６０に記載の方法。
【請求項１６７】
前記担体は、１つまたは複数のおもしを備える請求項１６０に記載の方法。
【請求項１６８】
前記コケは、網袋内に封入される請求項１６０に記載の方法。
【請求項１６９】
前記コケは、非腐植コケである請求項１６０に記載の方法。
【請求項１７０】
前記コケは、ミズゴケである請求項１６０に記載の方法。
【請求項１７１】
前記コケは、イボミズゴケ、スファグナム・クリスタツム、およびそれらの混合物からなる群から選択される請求項１６０に記載の方法。
【請求項１７２】
前記コケは、イボミズゴケである請求項１７１に記載の方法。
【請求項１７３】
前記コケは、スファグナム・クリスタツムである請求項１７１に記載の方法。
【請求項１７４】
前記コケは、イボミズゴケのみを含む請求項１７１に記載の方法。
【請求項１７５】
前記コケは、スファグナム・クリスタツムのみを含む請求項１７１に記載の方法。
【請求項１７６】
前記コケは、イボミズゴケおよびスファグナム・クリスタツムの混合物のみを含む請求項１７１に記載の方法。
【請求項１７７】
前記コケは、圧縮される請求項１６０に記載の方法。
【請求項１７８】
前記コケは、細長片の形態である請求項１７７に記載の方法。
【請求項１７９】
前記コケは、殺菌されている請求項１６９に記載の方法。
【請求項１８０】
前記コケは、酸性溶液で洗浄されている請求項１６９に記載の方法。
【請求項１８１】
前記コケは、酢酸溶液で洗浄されている請求項１６９に記載の方法。
【請求項１８２】
前記コケは、酸性溶液で洗浄され、次いで、食塩水で洗浄されている請求項１６９に記載の方法。
【請求項１８３】
前記水は、温泉の水である請求項１６０に記載の方法。
【請求項１８４】
前記水は、プールの水である請求項１６０に記載の方法。
【請求項１８５】
前記水は、アクアリウムの水である請求項１６０に記載の方法。
【請求項１８６】
前記水は、ポンプで装置に通される請求項１６０に記載の方法。
【発明の詳細な説明】
【技術分野】
【０００１】
本発明は、微生物増殖を抑制する方法、およびコケ、特にミズゴケを使用する水処理の方法に関する。
【背景技術】
【０００２】
微生物増殖を制御するさまざまな生物的防除剤が、当業界では知られている。例えば、穀物が貯蔵されるときなどに食品中のカビ増殖を抑制すること、またニワトリ生肉などの包装された食品中の細菌増殖を抑制することが望ましい。包帯または生理用品などの他の流体吸収製品では、病原体が増殖しえないように抗菌剤を入れることが望ましい。
【０００３】
水処理は、細菌増殖を制御または防止するために化学的処理、生物学的処理、および放射線処理が使用されてきたもう１つの分野である。水泳プールおよびアクアリウム向けの濾過および洗浄システムなど、水処理システムは多数ある。これらのシステムの多くは、水を濾過して、懸濁物質を除去し、水の濁りを低減する。水中の細菌増殖を防止し、水から汚染物質を除去することは、産業だけでなく、家庭にとっても重要な問題である。例えば、産業廃水は、浄化して有毒化合物を除去するとともに、細菌をも除去してから、湖川に捨てられなければならない。水泳プール、温水浴槽、アクアリウムなどの水を入れた容器は、水が濁ったり、および／または容器の壁がぬるぬるすることを防止するため、きれいな状態に保たれなければならない。水は、微粒子および細菌を除去するため濾過器などの能動的手段により処理することができ、また殺生剤を容器に入れ、水に浮かばせる受動的手段により処理することができる。
【０００４】
化学的手段を使用して水をきれいに保ち、細菌増殖を低減することは普通に行われている。紫外線、塩素処理、臭素処理、銅および銀のイオンによる処理、さらにはオゾンによる処理は、水の処理および／殺菌に使用することができる。これらは、典型的な殺生剤である、つまり、生命体を破壊する物質またはエネルギーである。もちろん、使用者に有毒であるか、または使用者が被害を受ける可能性があるため、これらの方法は全て、気を付けなければならない。化学物質は、環境汚染だけでなく使用者の接触を避けるように慎重な取り扱いを要する。
【０００５】
「ミズゴケ」は、ミズゴケの多い沼地内に共存するある範囲の植物種を示す総称表現である。「ピートモス」は、一般に、ミズゴケの腐植または堆肥となったものを指すことに留意されたい。ミズゴケは、通例、さまざまな製品で使用するために収穫される。コケは、茎ではなく、ペタル（花弁（ｐｅｔａｌ））が収穫されるのが好ましい。典型的には、植物材料の大きな断片（根、小枝など）は取り除かれ、コケは、水性スラリーを形成して微細粒子を抽出することにより、収穫後さらに処理することができる。水は、スラリーから除去され、コケは、乾燥される。コケは、梱包または出荷に先立って圧縮することができる。コケの吸収特性または機械的特性を変えるために、さまざまな添加剤が使用可能である。ミズゴケは、入手しやすく、比較的安価なので、さまざまな製品において、主に流体の吸収のため、使用されてきた。
【発明の開示】
【発明が解決しようとする課題】
【０００６】
当業界では細菌、酵母菌、および藻類などの微生物の増殖を抑制する製品がかなり必要とされている。水泳プール、渦流浴、アクアリウムなどの水の透明度を、長期間にわたり、洗浄のためシステムを停止することなく、維持する手段を確保することが望ましいであろう。最も望ましいシステムは、メンテナンスをほんの少ししか必要とせず、比較的安価なものであろう。
【課題を解決するための手段】
【０００７】
本発明は、微生物増殖が起こりやすい物質を、微生物増殖を抑制するために効果的な量の非腐植コケに接触させる工程を含み、コケはイボミズゴケ、スファグナム・クリスタツム（ｓｐｈａｇｎｕｍ  ｃｒｉｓｔａｔｕｍ）、およびそれらの混合物からなる群から選択される、微生物増殖を抑制する方法を提供する。
【０００８】
本発明は、微生物増殖を抑制するために効果的な量の非腐植コケを担体に入れ、担体を微生物増殖が起こりやすい物質に接触させる工程を含み、コケはイボミズゴケ、スファグナム・クリスタツム、およびそれらの混合物からなる群から選択される、微生物増殖を抑制する方法を提供する。
【０００９】
本発明は、微生物増殖を抑制する際に使用するコケを調製する方法を提供し、この方法は、（ｉ）非腐植コケを乾燥させる工程と、（ｉｉ）コケを滅菌する工程とを含む。本発明は、細菌増殖を抑制する際に使用するコケを調製する方法を提供し、この方法は、（ｉ）非腐植コケを酸性溶液に接触させる工程と、（ｉｉ）コケを乾燥させる工程とを含む。本発明は、滅菌された非腐食コケおよび担体を含むキットを提供する。
【００１０】
本発明は、微生物増殖が起こりやすい水を、微生物増殖を抑制するために効果的な量の非腐植コケに接触させる工程であって、コケはイボミズゴケ、スファグナム・クリスタツム、およびそれらの混合物からなる群から選択される工程と、定期的に適切な化学剤で水に衝撃を与える工程とを含む、微生物増殖を抑制する方法を提供する。
【００１１】
本発明は、水から水素イオン以外の陽イオンを除去する効果のある量の非腐植コケに水を接触させる工程を含み、コケはイボミズゴケ、スファグナム・クリスタツム、およびそれらの混合物からなる群から選択される、水を処理する方法を提供する。本発明は、さらに、水から水素イオン以外の陽イオンを除去する効果のある量の非腐植コケを担体内に入れる工程と担体を水に接触させる工程とを含み、コケはイボミズゴケ、スファグナム・クリスタツム、およびそれらの混合物からなる群から選択される、水を処理する方法を提供する。
【００１２】
本発明は、水中で使用するための装置を提供し、これは、（ｉ）内部空洞および内部空洞を出入りするための１つまたは複数の開口部を有する担体と、（ｉｉ）内部空洞内に収められたコケを含み、担体は、コケを完全に封入している。
【００１３】
本発明は、細菌増殖が起こりやすい水の中に、水中で微生物増殖を抑制するための装置を入れる工程を含む微生物増殖を抑制する方法を提供し、装置は、（ｉ）内部空洞および内部空洞を出入りするための１つまたは複数の開口部を有する担体と、（ｉｉ）内部空洞内に収められたコケとを備え、担体は、コケを完全に封入し、装置は、水中で微生物増殖を抑制するのに有効なある量のコケを備える。
【００１４】
本発明は、内部空洞および内部空洞を出入りするための１つまたは複数の開口部を有する担体を備え、内部空洞はコケを完全に封入している、滅菌された非腐食コケおよび水中で使用するための装置を備えるキットを提供する。
【００１５】
本発明は、微生物増殖が起こりやすい水の中に、水中で微生物増殖を抑制するための装置を入れる工程を含む微生物増殖を抑制する方法を提供し、装置は、（ｉ）内部空洞および内部空洞を出入りするための１つまたは複数の開口部を有する担体と、（ｉｉ）内部空洞内に収められたコケとを備え、担体は、コケを完全に封入し、装置は、水中で微生物増殖を抑制するのに有効なある量のコケを備え、定期的に適切な化学剤で水に衝撃を与える。
【００１６】
本発明は、水の中に装置を入れる工程を含む水を処理する方法を提供し、装置は、（ｉ）内部空洞および内部空洞を出入りするための１つまたは複数の開口部を有する担体と、（ｉｉ）内部空洞内に収められたコケとを備え、担体は、コケを完全に封入し、装置は、水から水素イオン以外の陽イオンを除去するのに有効なある量のコケを備える。
【００１７】
前記の概要および以下の詳細な説明は両方とも、例であり、説明を目的としており、請求されているように本発明の詳細な説明を行う意図があることは理解されるであろう。
【発明を実施するための最良の形態】
【００１８】
われわれは、微生物増殖を抑制するために使用することができるミズゴケのいくつかの種を発見した。コケは、水泳プール、温泉、アクアリウムなどの水中の微生物増殖を制御するために使用することができる。温泉は、ホワールプールまたは温水浴槽としても知られている。特定の種のコケは、細菌および他の微生物の増殖を抑制し、および／または防止するのに特に有効であると信じられている。
【００１９】
本発明では、「静菌剤」は、細菌の増殖を抑制する物質を指す。普通の辞書では、「抗菌剤」という用語は、一般に、細菌増殖抑制剤を指す。用語は両方とも、接触後に細菌を殺す物質を指す「殺菌剤」と区別すべきである。
【００２０】
本発明では、「水処理」は、水泳プール、アクアリウム、渦流浴、温水浴槽などで水をきれいに、透明に、よい香りに保つプロセスを指す。水を攪拌しても、泡立ちはあまり観察されない。コケは、細菌および他の微生物の増殖を抑制すると考えられており、また水透明度を下げる化合物および物質を吸収することもできる。
【００２１】
本発明では、イボミズゴケ（Ｓ．ｐａｐｉｌｌｏｓｕｍ）および／またはスファグナム・クリスタツム（Ｓ．ｃｒｉｓｔａｔｕｍ）は、水処理装置内で使用することができる。好ましい実施形態では、コケは、水性環境内でコケが分解するのを防ぐ網目状物質で包むか、またはカプセル化する。したがって、コケは、プール、温水浴槽、渦流浴などの所望の場所に保持されうる。好ましい網目状物質としては、網目サイズが約０．１から１ｍｍのナイロンまたはポリプロピレンなどの高分子化合物を含むものがある。高分子化合物は、安価で、劣化に耐性があるため、一般的に好ましい。
【００２２】
本発明で使用するのに適しているのは、米国ミネソタ州北部の沼地から収穫できるイボミズゴケ、およびニュージーランド、ウェストランドのＳｕｔｔｏｎ’ｓ  Ｍｏｓｓ  ｏｆ  Ｄｏｂｓｏｎ社から圧縮ベール（俵）として市販されているスファグナム・クリスタツムである。これらの種のコケは、それだけで、または合わせて、本発明の装置およびシステム内で使用することができる。典型的に、また好ましくは、コケは、汚れなどの小さな粒子、および根および葉などの大きめの破片を取り除くために洗浄される。市販のコケは、種子を破壊するためにメーカーで梱包する前に薫蒸消毒されている場合がある。
【００２３】
好ましい実施形態では、コケは、機械的手段により所望のサイズおよび形状に切断される。コケは、次いで、高圧蒸気殺菌法、エチレンオキシドに晒す工程、または当業者に知られている他の手段により滅菌される。滅菌は、コケ中の生命体を破壊し、それにより、本発明の装置が使用される環境に望ましくない、または外来種の細菌が持ち込まれるという問題を回避する。次いで、コケは、水処理システムまたは他の用途ですぐに使用できる状態にある。
【００２４】
水を処理する便利で、簡単で、効果的で、安価な方法は、水をコケの周りに流し、コケの中に通すことができる浮遊装置内にイボミズゴケまたはスファグナム・クリスタツムの一部を入れることであることがわかった。これを使用する他の方法は、コケが水中で残るように網でカプセル化し、網におもしを付ける。コケと水との接触を維持する適当な手段は、使用に適している。次に、この装置は、水泳プール、ホワールプール、温水浴槽などに入れられ、水と接触しうる。処理は、細菌増殖を防ぎ、水をきれいで、透明度高く、無臭、泡立ちなしの状態に保つうえで著しく有効である。これは、水を強制的にコケ内に通す濾過システムと比較すると受動的なシステムであるため、なおいっそう顕著である。もちろん、能動的な濾過は、水を処理するために本発明の装置とともに実行可能であることは理解されるであろう。
【００２５】
水泳プール、温水浴槽などで使用する場合、本明細書で説明されている水処理装置は、細菌を殺す物質とともに使用するのが好ましい。これは、これらの環境に大きな細菌負荷がさまざまな時期に持ち込まれてしまった可能性があるからである。したがって、標準的技法は、水を濾過し、水道から水を勢いよく流し、必要に応じて水を試験することである。ｐＨは、市販の溶液を使用して調節することができる。本発明の水処理装置は、「無塩素ショック」と呼ばれる、一過硫酸カリウムなどの酸化剤と併用するのが最も望ましい。一過硫酸カリウムは、塩素精製生成物の効率を高めることが知られているが、われわれは、上述のミズゴケ装置とともに使用したときに特に効果的であることを見いだした。
【００２６】
本発明のミズゴケは、微生物の抑制が望ましい任意の組成物、材料、装置、または方法で使用することができる。用途としては、微生物増殖の抑制、臭気の低減および／または防止、水処理、およびカビおよび菌の増殖の制御、および発酵の制御が挙げられる。このような装置および物質は、おむつ裏地、生理用品、包帯、および創傷被覆材などの吸収性製品を含む。このような製品では、コケは、異なる液体伝導特性の膜の間に封入していることができる。つまり、例えば、一方の膜は、流体に対し透過的であり、他方の膜は、蒸気に対し透過的であるとしてよい。コケは、高分子化合物の中に組み込み、フェイスマスクとして使用することができる。コケは、膜内にカプセル化し、液体および臭気を吸収する包装ラップおよび裏地などの食品保存製品中に使用することができる。コケは、貯蔵タンク、アクアリウム、水泳プール、渦流浴、温泉など、さらには水濾過装置内の水をきれいに保つために水処理製品において使用することができる。コケは、廃水および下水処理に使用することができる。コケは、例えば、円板またはペレット状に整形し、穀物および他の食品から水を吸収するために使用することができる。コケは、さらに、発酵制御に使用することもできる（液体または穀物の粒などで）。コケは、芝生および庭園における菌類または微生物疾患の制御に使用することができる。コケは、貯蔵容器または配管裏張りなどでの防カビ製品に使用することができる。
【００２７】
本発明は、微生物増殖が起こりやすい物質を、微生物増殖を抑制するために効果的な量の非腐植コケに接触させる工程を含み、コケはイボミズゴケ、スファグナム・クリスタツム、およびそれらの混合物からなる群から選択される、微生物増殖を抑制する方法を提供する。コケは、圧縮することができ、細長片の形態にすることができる。コケは、高圧蒸気殺菌法で滅菌するか、または化学処理により滅菌するか、またはエチレンオキシドによる処理により滅菌することができる。コケは、酸性溶液、特に酢酸溶液で洗浄することができる。コケは、酸性溶液で洗浄し、次いで食塩水で洗浄することができる。
【００２８】
微生物増殖が起こりやすい物質は、水とすることができる。水は、温泉、プール、またはアクアリウムに入れられる。微生物増殖が起こりやすい物質は、皮膚、外傷、体内空洞、または身体内部の損傷部位などの人体の一部とすることができる。微生物増殖が起こりやすい物質は、穀物とすることができる。
【００２９】
本発明は、微生物増殖を抑制するために効果的な量の非腐植コケを担体に入れ、担体を微生物増殖が起こりやすい物質に接触させる工程を含み、コケはイボミズゴケ、スファグナム・クリスタツム、およびそれらの混合物からなる群から選択される、微生物増殖を抑制する方法を提供する。担体は、人体に埋め込まれる装置、ポリマーマトリクス、バイオマトリクス、または１つまたは複数の膜とすることができる。
【００３０】
本発明は、微生物増殖を抑制する際に使用するコケを調製する方法を提供し、この方法は、（ｉ）非腐植コケを乾燥させる工程と、（ｉｉ）コケを滅菌する工程とを含む。この方法は、さらに、コケを圧縮する工程、コケを圧縮して複数の細長片に切断する工程、高圧蒸気殺菌法によりコケを滅菌する工程、化学処理、またはエチレンオキシドによる処理を含みうる。コケは、ミズゴケとすることができる。コケは、イボミズゴケ、スファグナム・クリスタツム、およびそれらの混合物からなる群から選択される。
【００３１】
本発明は、細菌増殖を抑制する際に使用するコケを調製する方法を提供し、この方法は、（ｉ）非腐植コケを酸性溶液に接触させる工程と、（ｉｉ）コケを乾燥させる工程とを含む。方法は、工程（ｉ）の後に非腐植コケを食塩水に接触させる工程を含むことができる。一実施形態では、酸性溶液は、酢酸溶液である。コケは、ミズゴケとすることができる。コケは、イボミズゴケ、スファグナム・クリスタツム、およびそれらの混合物からなる群から選択される。
【００３２】
本発明は、滅菌された非腐食コケおよび担体を含むキットを提供する。コケは、圧縮することができ、細長片の形態にすることができる。
【００３３】
本発明は、微生物増殖が起こりやすい水を、微生物増殖を抑制するために効果的な量の非腐植コケに接触させる工程であって、コケはイボミズゴケ、スファグナム・クリスタツム、およびそれらの混合物からなる群から選択される工程と、定期的に適切な化学剤で水に衝撃を与える工程とを含む、微生物増殖を抑制する方法を提供する。化学剤は、一過硫酸カリウムとすることができる。
【００３４】
本発明は、水から水素イオン以外の陽イオンを除去する効果のある量の非腐植コケに水を接触させる工程を含み、コケはイボミズゴケ、スファグナム・クリスタツム、およびそれらの混合物からなる群から選択される、水を処理する方法を提供する。陽イオンは、カルシウムまたは鉄イオンとすることができ、またカルシウムまたは鉄イオンの実質的に全てを水から除去することができる。コケは、圧縮することができ、細長片の形態にすることができる。コケは、高圧蒸気殺菌法で滅菌するか、または化学処理により滅菌するか、またはエチレンオキシドによる処理により滅菌することができる。コケは、酸性溶液、特に酢酸溶液で洗浄することができる。コケは、酸性溶液で洗浄し、次いで食塩水で洗浄することができる。水は、温泉、プール、またはアクアリウムに入れられる。
【００３５】
本発明は、水から水素イオン以外の陽イオンを除去する効果のある量の非腐植コケを担体内に入れる工程と担体を水に接触させる工程とを含み、コケはイボミズゴケ、スファグナム・クリスタツム、およびそれらの混合物からなる群から選択される、水を処理する方法を提供する。
【００３６】
本発明は、水中で使用するための装置を実現し、これは、（ｉ）内部空洞および内部空洞を出入りするための１つまたは複数の開口部を有する担体と、（ｉｉ）内部空洞内に収められたコケを含み、担体は、コケを完全に封入している。担体は、浮きを含むことができる。担体は、浮きと当該浮きの下にある円柱状部分を備え、円柱状部分は内部空洞および内部空洞を出入りするための１つまたは複数の開口部を有する。コケは、網袋内に封入していることができる。担体は、１つまたは複数のおもしを備えることができる。
【００３７】
コケは、非腐植コケとすることができる。コケは、ミズゴケとすることができる。コケは、イボミズゴケ、スファグナム・クリスタツム、およびそれらの混合物からなる群から選択される。コケは、圧縮することができ、細長片の形態にすることができる。コケは、高圧蒸気殺菌法で滅菌するか、または化学処理により滅菌するか、またはエチレンオキシドによる処理により滅菌することができる。コケは、酸性溶液、特に酢酸溶液で洗浄することができる。コケは、酸性溶液で洗浄し、次いで食塩水で洗浄することができる。
【００３８】
本発明は、微生物増殖が起こりやすい水の中に、水中で微生物増殖を抑制するための装置を入れる工程を含む微生物増殖を抑制する方法を提供し、装置は、（ｉ）内部空洞および内部空洞を出入りするための１つまたは複数の開口部を有する担体と、（ｉｉ）内部空洞内に収められたコケとを備え、担体は、コケを完全に封入し、装置は、水中で微生物増殖を抑制するのに有効なある量のコケを備える。水は、温泉、プール、またはアクアリウムに入れられる。水は、ポンプで装置に通すことができる。
【００３９】
本発明は、滅菌された非腐食コケと、内部空洞および内部空洞を出入りするための１つまたは複数の開口部を有する担体を備え、内部空洞はコケを完全に封入している、水中で使用するための装置を備えるキットを提供する。キットは、１つまたは複数のｐＨテスト細長片および／または一過硫酸カリウムを備えることができる。
【００４０】
本発明は、微生物増殖が起こりやすい水の中に、水中で微生物増殖を抑制するための装置を入れる工程を含む微生物増殖を抑制する方法を提供し、装置は、（ｉ）内部空洞および内部空洞を出入りするための１つまたは複数の開口部を有する担体と、（ｉｉ）内部空洞内に収められたコケとを備え、担体は、コケを完全に封入し、装置は、水中で微生物増殖を抑制するのに有効なある量のコケを備え、定期的に適切な化学剤で水に衝撃を与える。化学剤は、一過硫酸カリウムとすることができる。
【００４１】
本発明は、水の中に装置を入れる工程を含む水を処理する方法を提供し、装置は、（ｉ）内部空洞および内部空洞を出入りするための１つまたは複数の開口部を有する担体と、（ｉｉ）内部空洞内に収められたコケとを備え、担体は、コケを完全に封入し、装置は、水から水素イオン以外の陽イオンを除去するのに有効なある量のコケを備える。陽イオンは、カルシウムまたは鉄イオンとすることができ、またカルシウムまたは鉄イオンの実質的に全てを水から除去することができる。コケは、圧縮することができ、細長片の形態にすることができる。コケは、高圧蒸気殺菌法で滅菌するか、または化学処理により滅菌するか、またはエチレンオキシドによる処理により滅菌することができる。コケは、酸性溶液、特に酢酸溶液で洗浄することができる。コケは、酸性溶液で洗浄し、次いで食塩水で洗浄することができる。水は、温泉、プール、またはアクアリウムに入れられる。
【００４２】
図１Ａから図１Ｃは、本発明の適切な装置を例示している。図１Ａは、水に浮かぶ装置１０を示しており、図１Ｂおよび図１Ｃは、それぞれ、側面および断面図である。装置１０は、所望の寸法に切断された圧縮ミズゴケ１５の区分を受け入れるように適合される。コケは、図１Ａおよび図１Ｂに透視図で示されている。装置１０で使用されるコケに都合のよい寸法は、約１５．２×０．６３×０．６３ｃｍ（６×１／４×１／４インチ）である。ここのサイズのコケの断片の重量は約５グラムである。コケ１５は、ナイロン製の網１６に封入され、サイズは圧縮コケが膨張できるサイズである。網のサイズは、コケのなおいっそう小さい粒子を保持し、それがバラバラになり、浮遊して離れて行くことのないようなサイズである。
【００４３】
装置１０は、耐衝撃性があり、水に溶解せず、所望の形に整形することができるプラスチック材料を含む。装置１０は、カリフォルニア州ハンティントンビーチのＭＰ  Ｉｎｄｕｓｔｒｉｅｓ社から「浮き」として市販されている。このタイプの浮きは、普通、塩素を含むものなどの、プール洗浄剤のペレットまたは円板とともに使用される。装置１０は、孔を加えて水が装置内を通りやすくして、ミズゴケと併用すべく適合される。
【００４４】
装置１０は、浮き部分２０および貫流部分３０を含む。浮き部分２０は、円柱状であり、所望の寸法にすることができるが、典型的には、貫流部分３０よりも直径が大きい。浮き部分の有用な寸法は、直径約１２．７ｃｍ（５インチ）である。
【００４５】
貫流部分３０は、芯または中空部３２を有する２部分構成の細長い円柱である。第１の部分３３は、浮遊部分２０に取り付けられ、第２の部分３５が付くねじ山を備える。このようにして、貫流部分の長さを変更することができる。第２の部分３５は、調節可能なカラー３４を使って適切な位置に固定される。第２の部分３５は、さらに、取り外し可能なキャップ３７を有し、図１に例示されているように装置１０が水に浮かぶような重量である。
【００４６】
スロット３８および孔３９から水を円柱に通すことができる。スロットおよび孔は、所望の寸法とすることができ、望む通りに配置できる。貫流部分の有用な長さは、約１７．８ｃｍ（７インチ）である。キャップ３７は、ミズゴケの所望のサイズが部分３０内に挿入できるように取り外し可能である。水に晒すと、圧縮コケは膨張する。膨張したコケは、水が貫流できるような密度となっている。装置１０は、最大３０日間、最大約１．３２４７５キロリットル（３５０ガロン）の水（例えば、ホワールプールまたは温泉）を処理するのに十分なものである。
【００４７】
図２Ａは、水に浮かぶ装置５０を例示している。装置５０は、芯または中空部６２を有する円柱部分６０を備える。スロット６４および孔６６により、水が中空部に入るようにすることができる。図２Ａに透視図で示されているコケ５５は、図２Ｂに最も明確に示されているように、網５２によりカプセル化される。コケは、水と接触すると膨張し、中空部６２を満たす。円柱部分６０は、他端にある取り外し可能キャップ５７とともに、一方の端部で封止されるように示されている。キャップ５７は、装置６０の最大長さ部分が水と接触するような重さを持つ。
【００４８】
図３は、水泳プール、アクアリウム、温水浴槽などの壁Ｗに取り付けられている装置７０を示している。コケ７５は、網７２によりカプセル化され、網は取り付け用金具７７に付けられる。網は、コケの粒子または断片が網内に留まる十分なサイズのものである。取り付け用金具は、壁から垂れ下がり、装置は、この位置に固定したままにできる。それとは別に、装置７０は、プールまたは浴槽の底部に置くことが可能であろう。そこに付けるか、または重みで押し下げることが可能である。また、濾過器に沿って配置することも可能である。
【実施例１】
【００４９】
イボミズゴケは、北ミネソタで収穫され、細菌抑制試験の準備がされた。コケ種は、ミネソタ大学により検証され、受け取った後、再度検証した。
【００５０】
試料は全て、プラスチック袋に入れた。全ての生コケは、研究所職員が処理するまで４℃で保管された。事前乾燥された全ての屋外コケ試料は、処理されるまで室温で保管された。
【００５１】
以下の機器が使用された。
ａ）  ブレンダー、容積１．２５Ｌ（Ｏｓｔｅｒ社からＯｓｔｅｒｉｚｅｒ（商標）として市販されている）
ｂ）  蒸留水（Ｐｒｅｍｉｕｍ  Ｗａｔｅｒ，Ｉｎｃ．社から市販されている）
ｃ）  組織篩い、容積１カップ（Ｅ−Ｃ  Ａｐｐａｒａｔｕｓ  Ｃｏｒｐ．社からＣｅｌｌｅｃｔｏｒ（商標）として市販されている）
ｄ）  １Ｌのガラスビーカー（Ｐｙｒｅｘ（商標）として市販されている）
ｅ）  殺菌ポリスチレンペトリ皿  １００×１５ｍｍ（Ｆａｌｃｏｎから市販されている）
ｆ）  殺菌ポリスチレンペトリ皿  １５０×１５ｍｍ（ＶＷＲから市販されている）
ｇ）  高圧蒸気殺菌器（Ｍａｒｋｅｔ  Ｆｏｒｇｅから市販されている）
ｈ）  メタル・ラボ・スクープ（１６．５ｃｍ）／ＶＷＲからＡｄｉｓｏｎ  Ｔｉｓｓｕｅ  Ｆｏｒｃｅｐｓとして市販されている）
ｉ）  層流フード（Ｂａｋｅｒ社から市販されている）
手順：
１）生コケを手で袋から出し、目に見える根、葉、および破片をつまんで取り去り、コケをブレンダーに入れた。次いで、ブレンダーに、約１Ｌマークに到達するまでコケを詰め込んだ。
２）次に、ブレンダーに１Ｌの蒸留水を満たし、蓋をして手で３０秒間振り、水を抜き、残っている汚れと破片を取り除いた。このプロセスは、さらに２回繰り返し、コケを徹底的に洗浄した。
３）次に、ブレンダーに蒸留水を再び満たし、設定４と５のパルスモードを使用してそれぞれ３０秒間コケをブレンドし、コケが試料全体で均質化するようにした。
４）次いで、ブレンダーから水を抜いた。次に、残っている水を、組織篩いを使用してコケから手で絞り出した。次いで、絞ったコケは、きれいな１Ｌのビーカーに入れられた。工程１から４を繰り返し、１Ｌビーカーに処理済みコケを詰め込んだ。次に、液体設定を使用してビーカーを２０分間、１２１℃、１５ｐｓｉ（１０３．４ＭＰａ）で高圧蒸気殺菌し、室温で冷ました。
５）冷えたら、コケを層流フードに持ってきて、殺菌済み実験用スプーンと鉗子を使用し、ラボラベルを貼った予め重量を量ってあるペトリ皿に慎重に置いた。コケを汚染しないように特に注意し、それぞれの皿に均一にパックした。パックしたら、皿を少なくとも７２時間の間カバーしないままにし、コケを乾燥させた。乾燥した皿をカバーし、使用するまで層流フード内に保管した。
【実施例２】
【００５２】
スファグナム・クリスタツムは、カナダのＳｕｔｔｏｎ’ｓ  Ｍｏｓｓ社から入手したもの（ニュージーランドで収穫された）を細菌抑制試験用に調製した。受け取った後、コケ種を検証した。コケ試料の取り扱いは、上の実施例１で説明したのと同じであった。
【００５３】
以下の機器が使用された。
ａ）  殺菌済み注射器、３０ｃｃまたは６０ｃｃで、個別にラップ（Ｂｅｃｔｏｎ  Ｄｉｃｋｅｎｓｏｎ社から市販されている）
ｂ）  殺菌済み注射器濾過器、０．４５μｍ（マイクロメートル）および０．２０μｍ（Ｐａｌｌ  Ｇｅｌｌｍａｎ社からＡｃｒｏｄｉｓｃとして市販されている）
ｃ）  Ａｄｉｓｏｎ組織鉗子（ＶＷＲから市販されている）
ｄ）  ５０ｃｃのポリプロピレン目盛付き試験管、殺菌済みパック（Ｆａｌｃｏｎから市販されている）
ｅ）  ワックスフィルム（Ｐａｒａｆｉｌｍ（商標）、Ａｍｅｒｉｃａｎ  Ｎａｔｉｏｎａｌ  Ｃａｎから市販されている）
ｆ）  層流フード（Ｂａｋｅｒ  Ｃｏｍｐａｎｙ社から市販されている）
ｇ）  殺菌済み目盛付きポリプロピレンチップ付きピペットマン、２５ｍＬ（Ｂｅｃｔｏｎ  Ｄｉｃｋｅｎｓｏｎから市販されている）
ｈ）  １０ＭのＨＣｌおよび１０ＭのＮａＯＨ
ｉ）  ｐＨ計（Ｂｅｃｋｍａｎ  Ｏｍｅｇａ  ４０から市販されている）
試薬および溶液調製：（処理に使用される液体に依存する）
ａ）  Ｂａｃｔｏ（商標）Ｔｒｙｐｔｉｃ  Ｓｏｙ  Ｂｒｏｔｈ、３０ｇ／Ｌ（Ｂｅｃｔｏｎ  Ｄｉｃｋｅｎｓｏｎ）／ＭＥＭ−Ａｌｐｈａ（Ｇｉｂｃｏ）
ｂ）  リン酸緩衝生理食塩水（１×）、ｐＨ  ７．１（Ｇｉｂｃｏ（商標）から市販されている）
ｃ）  ＨＰＬＣグレード水（Ｊ．Ｔ．Ｂａｋｅｒから市販されている）
手順
ａ）処理に使用される液体は全て、このプロトコルで使用する前に、高圧蒸気殺菌処理されるか、または濾過殺菌され、適切な温度で保管された。全ての処理工程は、無菌法を使用して層流フード内で済まされた。使用する組織鉗子は、使用前に高圧蒸気殺菌された。
ｂ）乾燥させたコケの重さを量った後、５０ｍｇの全ての乾燥コケに対し処理液１ミリリットルの濃度で処理液をピペットで取ってペトリ皿に入れた。５０ｍｇ／ｍＬ以外の濃度が使用された場合、プロセスはそれに応じて変わった。
ｃ）コケのペトリ皿は、ワックスフィルム（Ｐａｒａｆｉｌｍ（商標））で包み、１時間、４℃で冷凍した。
ｄ）ペトリ皿を冷蔵庫から取り出して、コケを掬い取り、殺菌済み組織鉗子を使用して３０ｃｃまたは６０ｃｃの注射器に詰めた。注射器のプランジャーを再挿入し、液体を殺菌済み５０ｍＬポリプロピレン試験管内に、可能な全ての液体が抽出されるまで詰め込んだ。
ｅ）０．４５μｍの注射器濾過器に通して抽出液を濾過し、次いで、０．２μｍの注射器濾過器に通して濾過し、使用するまで４℃で保管した。
ｆ）濾過された試料は、１．０ＭのＨＣｌ／ＮａＯＨを使用してｐＨ調整し、０．２μｍの注射器濾過器で滅菌濾過し、細菌抑制アッセイで使用されるまで４℃で再び保管した。
【実施例３】
【００５４】
この実験では、阻害試験によりトリプシン大豆培養液（ＴＳＢ）で細菌増殖の量を決定した。
【００５５】
このアッセイで使用した全てのイボミズゴケおよびスファグナム・クリスタツム・コケ抽出物は、上述のように調製された。ＴＳＢも、調製され、使用前に、高圧蒸気殺菌され、４℃で保管された。
【００５６】
以下の機器が使用された。
ａ）  Ｂｅｃｋｍａｎ（商標）ＤＵ−６４分光光度計
ｂ）  インキュベータオーブン（Ｂｏｅｋｅｌ  Ｉｎｓｔｒｕｍｅｎｔｓから市販されているＭｏｄｅｌ  ＃１３３０００）
ｃ）  ５ｍＬおよび５０ｍＬポリスチレン管（Ｆａｌｃｏｎから市販されている）
ｄ）  １０μＬおよび１ｍＬポリプロピレンチップ（Ｐｉｐｅｔｍａｎから市販されている）
試薬および溶液：
ａ）  Ｂａｃｔｏ（商標）Ｔｒｙｐｔｉｃ  Ｓｏｙ  Ｂｒｏｔｈ（ＴＳＢ）、３０ｇ／Ｌ（Ｂｅｃｔｏｎ  Ｄｉｃｋｅｎｓｏｎから市販されている）
ｂ）  最低でも３対数増殖期の間ＴＳＢで増殖させた大腸菌凍結培養物ストック（臨床分離株）
ｃ）  最低でも３対数増殖期の間ＴＳＢで増殖させた黄色ブドウ球菌凍結培養物ストック（ＡＴＣＣ菌株＃２９２１３（バージニア州マナッサスのＡｍｅｒｉｃａｎ  Ｔｙｐｅ  Ｃｕｌｔｕｒｅ  Ｃｏｌｌｅｃｔｉｏｎ））
ｄ）  蒸留水（Ｐｒｅｍｉｕｍ  Ｗａｔｅｒ，Ｉｎｃ．社から市販されている）
ｅ）  イボミズゴケおよびニュージーランドゴケのＴＳＢ抽出物
手順：
１）３０ｇ／ＬのＢａｃｔｏ（商標）Ｔｒｙｐｔｉｃ  Ｓｏｙ  Ｂｒｏｔｈを蒸留水に加えてＴＳＢブイヨンを調製した。全ての粉末が溶解するまで溶液を攪拌棒で攪拌し、２０分間、１２１℃で高圧蒸気殺菌した。イボミズゴケ抽出物を、上のＢで説明されているように調製した。１ｍＬの溶液、ＴＳＢまたはコケ処理ＴＳＢ試料をピペットで取って、３から５ｍＬのポリスチレン試験管に入れた。
２）−２０℃で保管されている大腸菌および黄色ブドウ球菌の凍結アリコートを室温になるまで解かした。解けたら、それぞれの細菌ストック１００μＬを、ＴＳＢの１０ｍＬアリコートに加えた。次いで、それぞれの管に栓をし、完全に混合させ、ラベルを貼り、３７℃の培養器に入れた。
３）細菌ストック１０μＬをピペットで取って１ｍＬ溶液に入れ、管を所望の時間だけ３７℃の温度で培養した。それぞれの試料および時点の１つの管は、ブランクとして使用されるため細菌を受け取っていなかった。
４）割り当てられた時点に、３７℃のオーブンから溶液を取り出して、氷浴に浸けた。次いで直ちに試料を、分光光度計で５５０ｎｍと読み取った。絶対ＯＤ値は、試料からブランクを引いた値であった。抑制は、ＯＤ値対適切なＴＳＢ対照試料の減少率として測定された。
【実施例４】
【００５７】
以下のデータは、実施例３の手順によるさまざまなコケ種による細菌増殖培地（つまり、トリプシン大豆培養液）の処理の効果を例示している。非ミズゴケ種は、大腸菌増殖を阻止する能力に非常に劣る。以下で試験したコケのうち、大腸菌増殖を防ぐ最も有効なミズゴケは、イボミズゴケおよびスファグナム・クリスタツムであった。「Ｎ」は、試験回数を指し、「範囲」は、これらの試験について得られた最高数と最低数を表し、「平均」は、試験の平均値を指す。
【００５８】
【表１】
2007533378.tif 000003
【実施例５】
【００５９】
ＴＳＢは、イボミズゴケで処理され、この溶液で細菌増殖を支援する能力は、実施例３により測定された。大腸菌（臨床分離株）および黄色ブドウ球菌（ＡＴＣＣ菌株＃２９２１３）の細菌増殖の抑制率が報告されている。ＴＳＢ対照試料およびコケ処理ＴＳＢ溶液（ＭＴ−ＴＳＢ）が以下で報告されている。ブランク（Ｂ）のＯＤを試料の測定済みＯＤ（測定値）から引いて、報告された値を得る。
【００６０】
【表２】
2007533378.tif 000004
【実施例６】
【００６１】
この実施例は、コケによる処理は細菌を殺さないが、その増殖を抑制することを実証している。オレゴン州ユージンのＭｏｌｅｃｕｌａｒ  Ｐｒｏｂｅｓ社が市販しているＫｉｔ  Ｎｏ．Ｌ−７０１２の蛍光アッセイを使用して、細菌の生存度を調べた。このシステムでは、生菌および非生菌の細胞を貫通する異なる能力を有する緑色と赤色の蛍光核酸染色法を混ぜて使用する。５００ｎｍを放射する緑色蛍光菌株は、生菌および非生菌の両方に結合する。６５０ｎｍを放射する赤色蛍光菌株は、非生菌のみに結合する。したがって、より高い割合の非生菌を含む細菌試料は、変化した染色比を有する。データから、大腸菌と黄色ブドウ球菌の両方について、生菌と非生菌との比は対照試料中と同じままである。
【００６２】
手順：
１．媒体１０ｍＬ（ｐＨ対照ＴＳＢおよびイボミズゴケ試料、実施例１および２でそれぞれ調製したもの）中で１００μＬを３時間、３７℃で培養した。
２．この混合物を遠心分離機にかけて、細菌を濃縮し、次いで、リン酸緩衝生理食塩水（ＰＢＳ）１０ｍＬで再懸濁した。
３．再懸濁細菌３ｍＬを３つのキュベットのそれぞれに加えた。
４．Ｓｔｙｏ−９染料４０μＬをプロピジウムヨウ化物染料４０μＬと混合した。これらの化合物は発癌性物質であると考えられているため注意を要する。
５．混合された染料溶液９μＬをそれぞれのキュベットに加え、１５分間、暗所に保管した。
６．染料なしで２つのＰＢＳキュベットを用意し、染料をブランクとして使用して２つのＰＢＳキュベットを用意した。
７．溶液を完全に混合した。蛍光強度は、５００ｎｍ（４８０ｎｍで吸収あり）と６５０ｎｍ（４９０ｎｍで吸収あり）で測定される。これら２つの値の比は、細菌培養物の生存度に関係する。
【００６３】
以下の表は、２つの異なる培地中の細菌試料に対する２つの波長における蛍光強度を報告したものである。６５０ｎｍの蛍光の強度を超える５００ｎｍの蛍光の強度では、細菌培養物の生存度に関係する比が得られる。３つのＴＳＢおよび３つのコケ処理ＴＳＢ試料（ＭＴ−ＴＳＢ）の平均が以下で報告される。それぞれの場合に、抑制の割合が対照試料と比較されている。
【００６４】
【表３】
2007533378.tif 000005
【００６５】
【表４】
2007533378.tif 000006
【００６６】
データは、ＴＳＢとコケ処理ＴＳＢとの間の比に著しい変化がないことを示しており、コケの効果は殺菌性というよりはむしろ静菌性であることがわかる。
【実施例７】
【００６７】
実施例３により、さまざまな細菌をイボミズゴケＴＳＢ（濃度５０ｍｇ／ｍＬ）で処理した。細菌増殖の抑制率を報告する。ＴＳＢ対照試料およびコケ処理ＴＳＢ溶液（ＭＴ−ＴＳＢ）は両方とも以下で報告されている。ブランク（Ｂ）の光学密度（ＯＤ）を試料の測定済みＯＤ（測定）から引くことにより、「値」が得られる。
【００６８】
２つの研究が行われ、これを以下の（１）および（２）として示した。
【００６９】
【表５】
2007533378.tif 000007
【００７０】
【表６】
2007533378.tif 000008
【００７１】
【表７】
2007533378.tif 000009
【００７２】
【表８】
2007533378.tif 000010
【００７３】
【表９】
2007533378.tif 000011
【００７４】
【表１０】
2007533378.tif 000012
【実施例８】
【００７５】
コケの酸処理の効果
スファグナム・クリスタツム・コケの圧縮スティック（カナダのＳｕｔｔｏｎ’ｓ  Ｍｏｓｓ社（ニュージーランドで収穫）から入手）を蒸留水中のコケ５０ｍｇ／ｍｌで４種類の増大する濃度のＦｅ溶液（テキサス州アーリントンのＲｉｃｃａ  Ｃｈｅｍｉｃａｌｓ社から入手できる濃塩酸０、０．５、５、５０ｍｇ／ＬのＦｅ標準）に浸けた。浸けたコケは、４℃で一晩保管された。Ｆｅ溶液は、注射器により抽出し、濾過し、Ｆｅについて誘導結合プラズマ原子発光分析法により測定した。この結果から、コケは、５０ｍｇ／Ｌの試料中、かなりの量のＦｅ、最大１５ｍｇ／ＬまでのＦｅを結合することがわかった。この実験を蒸留水で洗浄したコケで実行したところ、類似の結果が得られた。しかし、Ｆｅスパイク試料のｐＨは低いことが指摘された。最適な結合はｐＨ４から６で行われるため、次の実験では、４から７までの範囲でｐＨを調整した。Ｆｅ試料のｐＨを上げると、Ｆｅは、沈殿し始めた。コケは、試料（最大２５ｍｇ／Ｌ）からＦｅの全てを除去した。次いで、使用前にコケに結合されたイオンは、陽イオン結合試験に影響を及ぼす可能性があり、またコケから陽イオンを除去する方法を調査しなければならないと判断された。
【００７６】
ミズゴケを酸洗浄するための方法を提供する場合（腐植コケであるピートモスではない）、２つの異なる酸性水が使用された。１バッチ分のコケ（約５ｇ）を、濃硝酸を使用しｐＨを１に調節した蒸留水３．５Ｌ中で常時攪拌した。他のバッチのコケについては、氷酢酸の２％溶液を使用した。洗浄液を１時間、攪拌し、次いで、上清を濾過し、新しい洗浄液をコケにかけた。これは、都合４回の酸洗浄について繰り返した。酸洗浄の後、蒸留水洗浄を同じ方法で４回実行した。蒸留水洗浄の終わりに、伝導性は蒸留水と似たものとなった。２つの酸で、類似の量のイオンを除去し、したがって、それ以降、コケを洗浄するのに酢酸を決まって使用した。
【００７７】
中性ｐＨで可溶性の金属が、結合能力を試験し、酸洗浄されているミズゴケと洗浄されていないコケの結合能力の改善について試験するのに適していると決定された。この目的のためにカルシウムが選択された。使用されたコケは、この実施例ですでに説明されているスファグナム・クリスタツム・コケであり、使用された酸は、氷酢酸の２％溶液であり、洗浄は、前の段落で説明されているように実行された。第１の試験から、予想したのと反対のことが示され、非洗浄コケが最も多くを結合し、酸洗浄コケは結合するのが最も少なかった。試料のｐＨをチェックしたところ、結合能力はｐＨと相関していることが発見された。酸洗浄コケは、溶液のｐＨを下げ、イオン結合に影響を及ぼした。この問題を解消するために、酸洗浄コケを高塩分食塩水で洗浄し、Ｈ＋イオンをＮａで追い出した。高塩分食塩水は、１Ｍの酢酸ナトリウムであり、この酢酸ナトリウム溶液３．５Ｌ中のコケ約５ｇを１時間、常時攪拌し、次いで、洗浄を繰り返した。これら２回の酢酸ナトリウム洗浄の後に、蒸留水による４回の洗浄を行い、それぞれの洗浄は１時間かけ、それぞれ同じ方法で実行した。酸／塩洗浄コケを試験したところ、抽出物のｐＨは低下せず、以下の表（Ｃａの濃度はｐｐｍ単位）からわかるように、蒸留水および非洗浄コケを上回る結合能力の著しい改善を示した。
【００７８】
【表１１】
2007533378.tif 000013
【００７９】
抽出物のｐＨは、最大２ｐＨ単位で変化し、そのままでは酸洗浄の効果とｐＨの効果とを区別することが困難であった。したがって、コケを試料溶液に入れたまま、ｐＨの調節を行えるコケの結合について試験する新しい方法が開発された。これは、マルチウェルプレート、小型の攪拌棒、および１０ｍｇ／ｍｌ濃度のコケを使用して行った。約１時間半溶液をコケに接触させた後、溶液のｐＨは、全て６．５の０．２５ｐＨ単位の範囲内に調整された。これにより、酸／塩洗浄コケおよび酸のみで洗浄したコケの試験を行うことができた。結果は以下に示されている。示されている平均は、２つの試料の平均である。
【００８０】
【表１２】
2007533378.tif 000014
【００８１】
ｐＨを互いの０．５ｐＨ単位の範囲内に調整した場合、ｐＨ効果はなくなり、酸洗浄コケの結合能力が著しく改善されるのがわかる。酸／塩洗浄コケは、酸のみで洗浄したコケよりも結合性がわずかによく、蒸留水洗浄コケは、非洗浄コケよりも結合性がわずかによいが、有意とみなせるほど十分ではない。
【００８２】
そのため、コケは、ＦｅイオンとＣａイオンの両方に結合することが示され、したがって、これらのイオンの一方または両方の除去が水処理の目標であるため水処理には有効である。
【００８３】
上述の説明および図面は、本発明の実施形態を説明するために用意されたものであり、本発明の範囲をいかなる形でも制限することを意図していない。当業者にとっては、本発明の精神または範囲から逸脱することなくさまざまな修正および変更を加えられることは明白であろう。したがって、本発明は、添付の請求項およびその均等物の範囲内にある限り、本発明のいくつかの修正および変更形態を対象範囲とすることが意図される。
【図面の簡単な説明】
【００８４】
【図１Ａ】本発明で使用することができる装置の一実施形態の斜視図である。
【図１Ｂ】側面図である。
【図１Ｃ】図１Ｂの直線Ｃ−Ｃに沿って示されている断面図である。
【図２Ａ】本発明で使用することができる装置の他の実施形態の斜視図である。
【図２Ｂ】図２Ａに示されている装置内で使用されるコケの側面図である。
【図３】本発明で使用することができる装置の他の実施形態の斜視図である。
【図１Ａ】
2007533378.tif 000015
【図１Ｂ】
2007533378.tif 000016
【図１Ｃ】
2007533378.tif 000017
【図２Ａ】
2007533378.tif 000018
【図２Ｂ】
2007533378.tif 000019
【図３】
2007533378.tif 000020
【国際調査報告】
2007533378.tif 000021
2007533378.tif 000022
2007533378.tif 000023
2007533378.tif 000024
2007533378.tif 000025